(57)【要約】      （修正有）【課題】情報端末機器の充電等を行う際、それを行う位置を選択する幅を広げると共に、充電後の情報端末機器の取り忘れを防止できるドアを提供する。【解決手段】建物の壁２に形成された開口を開閉するドア４と、該ドア４の上下を壁２に対して回動自在に支持する一対のピボット型ヒンジ６と、開口における前記一対のピボット型ヒンジ６側の縦縁に沿って設けられ、ドア４が閉状態の時に該ドア４と厚さ方向に隙間を有して対向する戸当り７Ａを有する一方の縦枠７と、開口における前記一対のピボット型ヒンジ６と反対側の縦縁に沿って設けられるもう一方の縦枠とからなるドア構造である。該ドア構造において、前記ドア４にＡＣ電源部９を備える。該ＡＣ電源部９は、一対の電源コネクタ１０、１１で構成し、一方の電源コネクタ１０をドア４における下端面に穿設した凹部４Ａ内に埋設し、この凹部４Ａ内において両電源コネクタ１０、１１を結合する。【選択図】図２
0003186530.tif 000002
【実用新案登録請求の範囲】
【請求項１】
建物の壁に形成された開口を開閉するドアと、ドアの上下を壁に対して回動自在に支持する一対のピボット型ヒンジと、開口における一対のピボット型ヒンジ側の縦縁に沿って設けられ、ドアが閉状態にあるときにドアと厚さ方向に隙間を有して対向する戸当りを有する一方の縦枠と、開口における一対のピボット型ヒンジと反対側の縦縁に沿って設けられるもう一方の縦枠とからなるドア構造において、
前記ドアに、建物の壁に配設されたＡＣ電源用のコンセントに電気的に接続自在にＡＣ電源部を備えたことを特徴とするドア構造。
【請求項２】
ＡＣ電源部を一対の電源コネクタで構成し、該ＡＣ電源部を構成する一方の電源コネクタを、ドアにおける下端面又は下端近傍の側面に穿設した凹部内に埋設し、該一方の電源コネクタに結合するＡＣ電源部を構成するもう一方の電源コネクタを、ケーブル及びその端部に設けたプラグを介して建物の壁に配設されたＡＣ電源用コンセントに接続し、もってＡＣ電源部を建物の壁に配設されたＡＣ電源用コンセントに電気的に接続自在となした請求項１記載のドア構造。
【請求項３】
ドアにコンセントを配設し、該コンセントに電源配線を介して前記ＡＣ電源部から交流電源を供給するようになした請求項１又は２記載のドア構造。
【請求項４】
前記コンセントは、開閉する目隠し用カバーで覆われるようになした請求項３記載のドア構造。
【請求項５】
ドアにコンセントの位置を明示する照明灯を配設し、該照明灯に電源配線を介して前記ＡＣ電源部から交流電源を供給するようになした請求項３又は４記載のドア構造。
【請求項６】
ドアに非常灯を配設し、該非常灯に電源配線を介して前記ＡＣ電源部から交流電源を供給するようになした請求項１、２、３、４又は５記載のドア。
【請求項７】
ドアに、その幅方向の中央部に上下両端に亘って所要の幅の切欠部を設けると共に、該切欠部の内周に溝を設け、該切欠部の両側の内周の溝の底部にＬＥＤを配置すると共に、該ＬＥＤの光が端面から入射するように前記切欠部に透明ガラスを嵌め込んで形成した採光窓を設け、前記ＬＥＤに電源配線を介して前記ＡＣ電源部から交流電源を供給するようになした請求項１、２、３、４、５又は６記載のドア。
【請求項８】
切欠部の一方側の内周の溝の底部には、ＬＥＤに代えて反射板を配置するようになした請求項７記載のドア。
【考案の詳細な説明】
【技術分野】
【０００１】
本考案は、ドア構造に関し、更に詳細にはドアにＡＣ電源部を備えたことを特徴とするドア構造に係わる。
【背景技術】
【０００２】
建物の壁に形成された開口を開閉するドアと、ドアの上下を壁に対して回動自在に支持する一対のピボット型ヒンジと、開口における一対のピボット型ヒンジ側の縦縁に沿って設けられ、ドアが閉状態にあるときにドアと厚さ方向に隙間を有して対向する戸当りを有する一方の縦枠と、開口における一対のピボット型ヒンジと反対側の縦縁に沿って設けられるもう一方の縦枠とからなるドア構造において、従来はドアそのものにＡＣ電源部を備えたものは存在しなかった。
【０００３】
このため、例えばスマートホン、その他の情報端末機器を充電したり、或いはスピーカーを増幅したりするときには、建物の壁に配設されたＡＣ電源用コンセントを利用して行うことしかできなかった。また、見えにくい位置で充電したとすると、充電中や充電後に情報端末機器を取り忘れ、携行することができない事態も起こりうる。
【考案の概要】
【考案が解決しようとする課題】
【０００４】
本考案は上記の点に鑑みなされたものであって、ＡＣ電源部を、開閉するドアそのものに備えることによって、上記情報端末機器の充電等を行う場合において、それを行う位置を選択する幅を広げ、もって情報端末機器等の使用者の利便性を向上させることができると共に、室の出入りに必ず使用するドアに備えることによって、必ず目にとまるようになし、もって取り忘れを防ぐことができるようになし、更にまた、ドアに種々の電気機器をその配線が外部から見えないようにして取り付けることができるようになしたドア構造を提供しようとするものである。
【課題を解決するための手段】
【０００５】
而して、本考案の要旨とするところは、建物の壁に形成された開口を開閉するドアと、ドアの上下を壁に対して回動自在に支持する一対のピボット型ヒンジと、開口における一対のピボット型ヒンジ側の縦縁に沿って設けられ、ドアが閉状態にあるときにドアと厚さ方向に隙間を有して対向する戸当りを有する一方の縦枠と、開口における一対のピボット型ヒンジと反対側の縦縁に沿って設けられるもう一方の縦枠とからなるドア構造において、前記ドアに、建物の壁に配設されたＡＣ電源用のコンセントに電気的に接続自在にＡＣ電源部を備えたことを特徴とするドア構造にある。
【０００６】
また、上記構成において、ＡＣ電源部を一対の電源コネクタで構成し、該ＡＣ電源部を構成する一方の電源コネクタを、ドアにおける下端面又は下端近傍の側面に穿設した凹部内に埋設し、該一方の電源コネクタに結合するＡＣ電源部を構成するもう一方の電源コネクタを、ケーブル及びその端部に設けたプラグを介して建物の壁に配設されたＡＣ電源用コンセントに接続し、もってＡＣ電源部を建物の壁に配設されたＡＣ電源用コンセントに電気的に接続自在となしてもよい。
【０００７】
また、上記構成において、ドアにコンセントを配設し、該コンセントに電源配線を介して前記ＡＣ電源部から交流電源を供給するようになしてもよい。
【０００８】
また、上記構成において、コンセントを、開閉する目隠し用カバーで覆われるようになしてもよい。
【０００９】
また、上記構成において、ドアにコンセントの位置を明示する照明灯を配設し、該照明灯に電源配線を介して前記ＡＣ電源部から交流電源を供給するようになしてもよい。
【００１０】
また、上記構成において、ドアに非常灯を配設し、該非常灯に電源配線を介して前記ＡＣ電源部から交流電源を供給するようになしてもよい。
【００１１】
また、上記構成において、ドアに、その幅方向の中央部に上下両端に亘って所要の幅の切欠部を設けると共に、該切欠部の内周に溝を設け、該切欠部の両側の内周の溝の底部にＬＥＤを配置すると共に、該ＬＥＤの光が端面から入射するように前記切欠部に透明ガラスを嵌め込んで形成した採光窓を設け、前記ＬＥＤに電源配線を介して前記ＡＣ電源部から交流電源を供給するようになしてもよい。また、斯かる構成において、切欠部の一方側の内周の溝の底部には、ＬＥＤに代えて反射板を配置するようになしてもよい。
【考案の効果】
【００１２】
本考案は上記の如き構成であり、ドアにＡＣ電源部を備えたから、情報端末機器の充電等を行う場合において、それを行う位置を選択する幅を広げ、もって情報端末機器等の使用者の利便性を向上させることができるものである。また、室の出入りに必ず使用するドアに備えることによって、必ず目にとまるようになしたから、充電したときに、充電中や充電後に情報端末機器を取り忘れることを防ぐこともできるものである。更にまた、ドアに種々の電気機器をその配線が外部から見えないようにして取り付けることもできるものである。
【００１３】
また、ＡＣ電源部を一対の電源コネクタで構成し、該ＡＣ電源部を構成する一方の電源コネクタを、ドアにおける下端面又は下端近傍の側面に穿設した凹部内に埋設し、該一方の電源コネクタに結合するＡＣ電源部を構成するもう一方の電源コネクタを、ケーブル及びその端部に設けたプラグを介して建物の壁に配設されたＡＣ電源用コンセントに接続し、もってＡＣ電源部を建物の壁に配設されたＡＣ電源用コンセントに電気的に接続自在となした場合には、ＡＣ電源部を必要なときだけ建物の壁に配設されたＡＣ電源用コンセントに電気的に接続し、不要時にはケーブルを畳んでおけばよく、加えて電気的に接続するときにおいては、ケーブルはドアと床面或いは縦縁との隙間内を伝わせ、そしてＡＣ電源部は、一対の電源コネクタをドアに穿設した凹部内で結合するものであるから、ケーブルによるドアの見栄えに対する影響を極力少なくすることができるものである。
【００１４】
また、ドアにコンセントを配設し、該コンセントに電源配線を介して前記ＡＣ電源部から交流電源を供給するようになした場合には、コンセントから情報端末機器等用の電源をとることができるものであり、そして、コンセントを、開閉する目隠し用カバーで覆われるようになした場合には、コンセントの不使用時においてこれが外部から見えないようにすることができ、ドアの見栄えを損なうことを防ぐことができるものである。
【００１５】
また、ドアにコンセントの位置を明示する照明灯を配設し、該照明灯に電源配線を介して前記ＡＣ電源部から交流電源を供給するようになした場合には、暗い中でも容易にコンセントを見つけ出すことができるようになるものである。また、該照明灯はＬＥＤを用いたものが好ましい。
【００１６】
また、ドアに非常灯を配設し、該非常灯に電源配線を介して前記ＡＣ電源部から交流電源を供給するようになした場合には、暗い中でもドアの位置が分かり、室内からのスムーズな退避が可能となるものである。また、該非常灯はＬＥＤを用いたものが好ましい。
【００１７】
また、ドアに、その幅方向の中央部に上下両端に亘って所要の幅の切欠部を設けると共に、該切欠部の内周に溝を設け、該切欠部の両側の内周の溝の底部にＬＥＤを配置すると共に、該ＬＥＤの光が端面から入射するように前記切欠部に透明ガラスを嵌め込んで形成した採光窓を設け、前記ＬＥＤに電源配線を介して前記ＡＣ電源部から交流電源を供給するようになした場合には、採光に利用することができると共に、ＬＥＤを点灯することにより夜間の常夜灯として利用することもできる。また、ＬＥＤの色を工夫することにより、例えば、全部のＬＥＤを青、赤、黄等の同一色としたり、一部を別の色のものにしたりして所望の雰囲気の色合いとすれば、装飾性を加味することもできるものである。また、切欠部の一方側の内周の溝の底部にＬＥＤに代えて反射板を配置するようになした場合には、電源配線の手間が軽減されると共に、電力消費量を少なくすることができて経済的である。
【図面の簡単な説明】
【００１８】
【図１】本考案の第１実施形態に係るドア構造の全体構造を示す正面図である。
【図２】図１中Ａ部分の一部切欠して示した拡大図である。
【図３】同目隠し用カバーを開いた状態の部分拡大正面図である。
【図４】本考案の第２実施形態に係るドア構造の全体構造を示す正面図である。
【図５】本考案の第３実施形態に係るドア構造の一部切欠して示した部分拡大正面図である。
【考案を実施するための形態】
【００１９】
以下、本考案を実施するための形態について、図面を参照して説明する。
【００２０】
先ず、図１乃至図３に示した本考案の第１実施形態について説明する。
【００２１】
図中、１はドア構造である。また、該ドア構造１は、建物の壁２に形成された開口３を開閉するドア４と、該ドア４の上下を壁２に対して回動自在に支持する一対のピボット型ヒンジ５、６と、開口３における前記一対のピボット型ヒンジ５、６側の縦縁３Ａに沿って設けられ、ドア４が閉状態にあるときに該ドア４と厚さ方向に隙間を有して対向する戸当り７Ａを有する一方の縦枠７と、開口３における前記一対のピボット型ヒンジ５、６と反対側の縦縁３Ｂに沿って設けられるもう一方の縦枠８とからなるものである。
【００２２】
而して、本実施形態においては、前記ドア構造１において、前記ドア４に建物の壁２に配設されたＡＣ電源用コンセントに電気的に接続自在にＡＣ電源部９を備えたことを特徴とするものである。
【００２３】
また、該ＡＣ電源部９は、本実施形態においては一対の電源コネクタ１０、１１で構成しており、該ＡＣ電源部９を構成する一方の電源コネクタ１０を、ドア４における下端面に穿設した凹部４Ａ内に埋設し、該一方の電源コネクタ１０に結合するＡＣ電源部９を構成するもう一方の電源コネクタ１１を、ケーブル１２及びその端部に設けたプラグ１３を介して建物の壁２に配設されたＡＣ電源用コンセントに接続し、もってＡＣ電源部９を建物の壁２に配設されたＡＣ電源用コンセントに電気的に接続自在となしている。尚、１４は建物の壁２に配設されたＡＣ電源用コンセントである。
【００２４】
また、本実施形態においては、ドア４にコンセント１５を配設し、該コンセント１５に電源配線１６を介して前記ＡＣ電源部９から交流電源を供給するようになしている。
【００２５】
また、前記コンセント１５は、ヒンジ１７をもって開閉する目隠し用カバー１８で覆われるようになしている。
【００２６】
また、本実施形態においては、ドア４に前記コンセント１５の位置を明示する照明灯１９を配設し、該照明灯１９に電源配線１６を介して前記ＡＣ電源部９から交流電源を供給するようになしている。
【００２７】
更にまた、ドア４に非常灯２０を配設し、該非常灯２０に電源配線１６を介して前記ＡＣ電源部９から交流電源を供給するようになしている。
【００２８】
次に、上記実施形態の作用について説明する。
ＡＣ電源部９による交流電源供給の必要が生じたときには、プラグ１３を建物の壁２に配設されたＡＣ電源用コンセント１４に差し込み、ケーブル１２をドア４と床面との隙間Ｓを伝わせ、該ケーブル１２の端部の電源コネクタ１１を、ドア４の凹部４Ａ内に埋設した電源コネクタ１０に結合するものである。
【００２９】
本実施形態は上記の如き構成であり、ドア４にＡＣ電源部９を備えたから、情報端末機器の充電等を行う場合において、それを行う位置を選択する幅を広げ、もって情報端末機器等の使用者の利便性を向上させることができるものである。また、室の出入りに必ず使用するドア４に備えることによって、必ず目にとまるようになしたから、充電したときに、充電中や充電後に情報端末機器を取り忘れることを防ぐこともできるものである。更にまた、ドア４に種々の電気機器をその配線が外部から見えないようにして取り付けることができるものである。
【００３０】
また、ＡＣ電源部９を一対の電源コネクタ１０、１１で構成し、該ＡＣ電源部９を構成する一方の電源コネクタ１０を、ドア４における下端面に穿設した凹部４Ａ内に埋設し、該一方の電源コネクタ１０に結合するＡＣ電源部９を構成するもう一方の電源コネクタ１１を、ケーブル１２及びその端部に設けたプラグ１３を介して建物の壁２に配設されたＡＣ電源用コンセント１４に接続し、もってＡＣ電源部９を建物の壁２に配設されたＡＣ電源用コンセント１４に電気的に接続自在となしたから、ＡＣ電源部９を必要なときだけ建物の壁２に配設されたＡＣ電源用コンセント１４に電気的に接続し、不要時にはケーブル１２を畳んでおけばよく、加えて電気的に接続するときにおいては、ケーブル１２はドア４と床面との隙間Ｓ内を伝わせ、そしてＡＣ電源部９は、一対の電源コネクタ１０、１１をドア４に穿設した凹部４Ａ内で結合するものであるから、ケーブル１２によるドア４の見栄えに対する影響を極力少なくすることができるものである。
【００３１】
また、ドア４にコンセント１５を配設し、該コンセント１５に電源配線１６を介して前記ＡＣ電源部９から交流電源を供給するようになしたから、コンセント１５から情報端末機器等用の電源をとることができるものであり、そして更に、該コンセント１５を、開閉する目隠し用カバー１８で覆われるようになしたから、コンセント１５の不使用時においてこれが外部から見えないようにすることができ、ドアの見栄えを損なうことを防ぐことができるものである。
【００３２】
また、ドア４にコンセント１５の位置を明示する照明灯１９を配設し、該照明灯１９に電源配線１６を介して前記ＡＣ電源部９から交流電源を供給するようになしたから、暗い中でも容易にコンセント１５を見つけ出すことができるようになるものである。
【００３３】
また、ドア４に非常灯２０を配設し、該非常灯２０に電源配線１６を介して前記ＡＣ電源部９から交流電源を供給するようになしたから、暗い中でもドア４の位置が分かり、室内からのスムーズな退避が可能となるものである。
【００３４】
次に、図４に示した本考案の第２実施形態について説明する。
本実施形態と前記第１実施形態との相違点は、本実施形態において、ドア４に、その幅方向の中央部に上下両端に亘って所要の幅の切欠部２１を設けると共に、該切欠部２１の内周に溝２２を設け、該切欠部２１の両側の内周の溝２２の底部にＬＥＤ２３を配置すると共に、該ＬＥＤ２３の光が端面から入射するように前記切欠部２１に透明ガラス２４を嵌め込んで形成した採光窓２５を設け、前記ＬＥＤ２３に電源配線１６を介して前記ＡＣ電源部９から交流電源を供給するようになした点にある。尚、その他の構成は前記第１実施形態と同様であるから、同一の部材には同一の符号を付して詳細な説明は省略する。
【００３５】
而して、本発実施形態によれば、採光に利用することができると共に、ＬＥＤ２３を点灯することにより夜間の常夜灯として利用することもできる。また、ＬＥＤ２３の色を工夫することにより、例えば、全部のＬＥＤを青、赤、黄等の同一色としたり、一部を別の色のものにしたりして所望の雰囲気の色合いとすれば、装飾性を加味することもできるものである。尚、本実施形態においては切欠部２１の両側の内周の溝２２の底部にＬＥＤ２３を配置している場合を示しているが、図示はしないが、一方側の溝２２にだけＬＥＤを配置し、もう一方側の溝２２には反射板を配置するようになしてもよい。このようになした場合には、電源配線の手間が軽減されると共に、電力消費量を少なくすることができて経済的である。
【００３６】
次に、図５に示した本考案の第３実施形態について説明する。
本実施形態と前記第１実施形態とは、本実施形態においてＡＣ電源部９を構成する一方の電源コネクタ１０を、ドア４ににおける下端近傍の側面に穿設した凹部４Ａ内に埋設し、該凹部４Ａ内において両方の電源コネクタ１０、１１を結合するようになした点にある。尚、その他の構成は前記第１実施形態と同様であるから、同一の部材には同一の符号を付して詳細な説明は省略する。
【００３７】
而して、本実施形態による場合にも前記第１実施形態と同様の作用、効果を奏するものである。
【符号の説明】
【００３８】
１  ドア構造
２  建物の壁
３  開口
４  ドア
４Ａ  凹部
５、６  一対のピボット型ヒンジ
７  一方の縦枠
７Ａ  戸当り
８  もう一方の縦枠
９  ＡＣ電源部
１０、１１  電源コネクタ
１２  ケーブル
１３  プラグ
１４  ＡＣ電源用コンセント
１５  コンセント
１８  目隠し用カバー
１９  照明灯
２０  非常灯
２１  切欠部
２２  溝
２３  ＬＥＤ
２４  透明ガラス
２５  採光窓
【図１】
0003186530.tif 000003
【図２】
0003186530.tif 000004
【図３】
0003186530.tif 000005
【図４】
0003186530.tif 000006
【図５】
0003186530.tif 000007